(57)【要約】      （修正有）【課題】ハンガー掛け部がスムーズに回転し、冬服などの重い衣類であっても数多く掛けることができ、さらにコートなどの長い丈の衣類であっても引きずることなくまっすぐに垂下するようにハンガーを掛けることができるハンガー回転装置を提供する。【解決手段】台座部１２と、該台座部に下端が固着されかつ立設せしめられた軸体１４と、該軸体の上端に固着せしめられた平面形状が円形の円形フレーム部１６と、該円形フレーム部と前記台座部との間であって前記軸体に回動自在に取り付けられてなるハンガー掛け部１８と、を含む回転ハンガー装置１０であり、前記ハンガー掛け部が、下部ハンガー掛け部２６と、を含み、上部ハンガー掛け部２２と前記下部ハンガー掛け部とが連結されることにより同期的に回転せしめられるようにした。【選択図】図１
0003160252.tif 000002
【実用新案登録請求の範囲】
【請求項１】
台座部と、前記台座部に下端が固着されかつ立設せしめられた軸体と、前記軸体の上端に固着せしめられた平面形状が円形の円形フレーム部と、前記円形フレーム部と前記台座部との間であって前記軸体に回動自在に取り付けられてなるハンガー掛け部と、を含む回転ハンガー装置であり、前記ハンガー掛け部が、前記軸体にベアリングを介して回動自在に取り付けられ、平面形状が前記円形フレーム部よりも径小とされた円形の上部ハンガー掛け部と、前記上部ハンガー掛け部と平行となるように前記軸体に合成樹脂製リングを介して回動自在に取り付けられ、平面形状が円形を一部切り欠いた形状を有する略円形の下部ハンガー掛け部と、を含み、前記上部ハンガー掛け部と前記下部ハンガー掛け部とが連結されることにより同期的に回転せしめられることを特徴とする回転ハンガー装置。
【請求項２】
前記円形フレーム部の周囲にカバーを垂下させてなることを特徴とする請求項１記載の回転ハンガー装置。
【考案の詳細な説明】
【技術分野】
【０００１】
本考案は、衣類などを吊したハンガーを掛けるための回転ハンガー装置に関する。
【背景技術】
【０００２】
従来、衣類などを掛けたハンガーを掛けるための回転ハンガー装置として、特許文献１や特許文献２に記載されたものが知られている。
【０００３】
特許文献１に記載の掛け具では、台盤上に植立した軸管に軸管を重ねることで、回動可能としている（特許文献１、考案が解決しようとする課題）。
【０００４】
しかしながら、軸管に軸管を重ねる構成では、回転がスムーズにいかないという問題があった。
【０００５】
また、特許文献２に記載の掛け具では、ベアリングを用いてハンガーを独立に回転させる構成とされている（特許文献２、段落００１３）。
【０００６】
しかしながら、ベアリングを用いてハンガーを独立に回転させるのでは、比較的軽い衣類などしか掛けることができず、冬服などの重い衣類を数多く掛けることはできないという問題があった。
【０００７】
さらに、特許文献１や特許文献２に記載された回転ハンガー装置では、丈の長いコートなどを掛け難く、まっすぐに垂下するように掛けることができないという問題もあった。
【先行技術文献】
【特許文献】
【０００８】
【特許文献１】実用新案登録第３０１７１１６号公報
【特許文献２】実用新案登録第３０２２５３２号公報
【考案の開示】
【考案が解決しようとする課題】
【０００９】
本考案は、上記従来技術の問題点に鑑みてなされたもので、ハンガー掛け部がスムーズに回転し、冬服などの重い衣類であっても数多く掛けることができ、さらにコートなどの長い丈の衣類であっても引きずることなくまっすぐに垂下するようにハンガーを掛けることができるハンガー回転装置を提供することを目的とする。
【課題を解決するための手段】
【００１０】
上記課題を解決するために、本考案のハンガー回転装置は、台座部と、前記台座部に下端が固着されかつ立設せしめられた軸体と、前記軸体の上端に固着せしめられた平面形状が円形の円形フレーム部と、前記円形フレーム部と前記台座部との間であって前記軸体に回動自在に取り付けられてなるハンガー掛け部と、を含む回転ハンガー装置であり、前記ハンガー掛け部が、前記軸体にベアリングを介して回動自在に取り付けられ、平面形状が前記円形フレーム部よりも径小とされた円形の上部ハンガー掛け部と、前記上部ハンガー掛け部と平行となるように前記軸体に合成樹脂製リングを介して回動自在に取り付けられ、平面形状が円形を一部切り欠いた形状を有する略円形の下部ハンガー掛け部と、を含み、前記上部ハンガー掛け部と前記下部ハンガー掛け部とが連結されることにより同期的に回転せしめられることを特徴とする。
【００１１】
このように、上部ハンガー掛け部をベアリングを介して回動自在とし、下部ハンガー掛け部を合成樹脂製リングを介して回動自在に取り付けているため、ベアリングが一つで済むという利点がある。
【００１２】
ベアリングとしては、従来公知のベアリングが使用でき、合成樹脂製リングとしては、合成樹脂製のものであれば特に限定はないが、例えば、ポリエチレン、ポリ塩化ビニル、ポリスチレン、ポリプロピレンなどで作製されたリングを使用できる。
【００１３】
また、上部ハンガー掛け部と下部ハンガー掛け部とが連結されているため、上部ハンガー掛け部と下部ハンガー掛け部の支点にかかる重量を分散できるという利点もある。
【００１４】
さらに、上部ハンガー掛け部の平面形状が円形とされ、下部ハンガー掛け部の平面形状が円形を一部切り欠いた形状を有する略円形とされているため、コートなどの長い丈の衣類については上部ハンガー掛け部に掛けて、下部ハンガー掛け部の一部切り欠き部に垂下せしめることで、長い丈の衣類であっても引きずることなくまっすぐに垂下するようにハンガーを掛けることができるという利点も有する。
【００１５】
また、埃などを防ぐため、前記円形フレーム部の周囲にカバーを垂下させてなるのが好適である。カバーの材質としては、布、不織布、ビニールなどいずれも適用可能である。
【考案の効果】
【００１６】
本考案によれば、ハンガー掛け部がスムーズに回転し、冬服などの重い衣類であっても数多く掛けることができ、さらにコートなどの長い丈の衣類であっても引きずることなくまっすぐに垂下するようにハンガーを掛けることができるハンガー回転装置を提供することができるという著大な効果を奏する。
【考案を実施するための形態】
【００１７】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００１８】
【図１】本考案の回転ハンガー装置の一つの実施の形態を示す斜視図である。
【図２】図１の概略説明図である。
【図３】図１の平面図である。
【図４】本考案の回転ハンガー装置にカバーを取り付けた状態を示す斜視図である。
【００１９】
図において、符号１０は本考案の回転ハンガー装置を示す。図１によく示される如く、回転ハンガー装置１０は、台座部１２と、前記台座部１２に下端が固着されかつ立設せしめられた軸体１４と、前記軸体１４の上端に固着せしめられた平面形状が円形の円形フレーム部１６と、前記円形フレーム部１６と前記台座部１２との間であって前記軸体１４に回動自在に取り付けられてなるハンガー掛け部１８と、を含む回転ハンガー装置である。
【００２０】
前記ハンガー掛け部１８は、図２及び図３によく示される如く、前記軸体１４にベアリング２０を介して回動自在に取り付けられかつ平面形状が前記円形フレーム部１６よりも径小とされた円形の上部ハンガー掛け部２２と、前記上部ハンガー掛け部２２と平行となるように前記軸体１４に合成樹脂製リング２４（図示例ではポリ塩化ビニル製）を介して回動自在に取り付けられ、平面形状が円形を一部切り欠いた形状を有する略円形の下部ハンガー掛け部２６と、を含んでいる。下部ハンガー掛け部２６は、一部切り欠き部２８を有しており、平面形状が円形を一部切り欠いた形状とされている。
【００２１】
そして、上部ハンガー掛け部２２と下部ハンガー掛け部２６とは、連結パイプ３０ａ，３０ｂ，３０ｃを介して連結されており、上部ハンガー掛け部２２を回すと下部ハンガー掛け部２６も一緒に回るので、同期的に回転せしめられる構成とされている。なお、台座部１２にはキャスター部材４８が着脱自在に取り付けられており、回転ハンガー装置１０が移動可能とされている。
【００２２】
図４によく示される如く、回転ハンガー装置１０の前記円形フレーム部１６の周囲にカバー１１を垂下させることで、衣類などに埃などが付くのを防止できる。
【００２３】
図２において、軸体１４は、上部軸体３２及び下部軸体３４が接合プレート部材３６，３８を介して接合された構成とされている。これにより、連結部にかかる回転時の負荷が軽減される利点がある。
【００２４】
また、軸体１４の上部軸体３２と円形フレーム部１６の中央フレーム部材１７とは、ボルト４０，４２によって固定せしめられており、ハンガー掛け部１８の回転時にカバー１１が一緒に回らない構造とされている。
【００２５】
さらに、軸体１４の下端部は、軸体１４が一本柱であるため、その負荷を軽減するべく、下端部近傍に４枚の三角プレート４４ａ，４４ｂ，４４ｃが溶接にて垂設された十字状端部４６とされており、前記十字状端部４６を介して軸体１４が台座部１２に固着されることで強度をもたせている。
【００２６】
そして、上部ハンガー掛け部２２が前記軸体１４にベアリング２０を介して回動自在に取り付けられている一方、下部ハンガー掛け部２６は合成樹脂製リング２４を介して回動自在に取り付けている。
【００２７】
このように、上部ハンガー掛け部２２をベアリング２０を介して回動自在とし、下部ハンガー掛け部２６を合成樹脂製リング２４を介して回動自在に取り付けているため、ベアリング２０が一つで済み、かつ回転もスムーズとなるという利点がある。
【００２８】
また、上部ハンガー掛け部２２と下部ハンガー掛け部２６とが連結されているため、上部ハンガー掛け部２２と下部ハンガー掛け部２６の支点にかかる重量を分散できるという利点もある。
【００２９】
さらに、上部ハンガー掛け部２２の平面形状が円形とされ、下部ハンガー掛け部２６の平面形状が円形を一部切り欠いた形状を有する略円形とされているため、コートなどの長い丈の衣類については上部ハンガー掛け部２２に掛けて、下部ハンガー掛け部２６の一部切り欠き部２８に垂下せしめることで、長い丈の衣類であっても引きずることなくまっすぐに垂下するようにハンガーを掛けることができるという利点も有する。
【符号の説明】
【００３０】
１０：回転ハンガー装置、１１：カバー、１２：台座部、１４：軸体、１６：円形フレーム部、１７：中央フレーム部材、１８：ハンガー掛け部、２０：ベアリング、２２：上部ハンガー掛け部、２４：合成樹脂製リング、２６：下部ハンガー掛け部、２８：一部切り欠き部、３０ａ，３０ｂ，３０ｃ：連結パイプ、３２：上部軸体、３４：下部軸体、３６，３８：接合プレート部材、４０，４２：ボルト、４４ａ，４４ｂ，４４ｃ：三角プレート、４６：十字状端部、４８：キャスター部材。
【図１】
0003160252.tif 000003
【図２】
0003160252.tif 000004
【図３】
0003160252.tif 000005
【図４】
0003160252.tif 000006